(57)【要約】【課題】一部式の着物において、セパレーツ式着物のように簡単な着付けを実現し、セパレーツ式よりも着物らしさを感じられるデザインとする。【解決手段】上前身ごろ及び下前身ごろのそれぞれが上半部と下半部に分離された前身ごろ部と、前身ごろ部が備える上下それぞれの丈を足した丈に対応する丈を有する後ろ身ごろ部と、を備える身ごろ部と、前記の身ごろ部に連結された左右一対の袖部と、前記の身ごろ部に連結された襟部とを備え、前身ごろ部の下半部には、上前身ごろの下半部及び下前身ごろの下半部を着用するための腰紐が設ける。【選択図】  図１
2005023488.tif 000002
【特許請求の範囲】
【請求項１】
上前身ごろ及び下前身ごろのそれぞれが上半部と下半部に分離された前身ごろ部と、前身ごろ部が備える上下それぞれの丈を足した丈に対応する丈を有する後ろ身ごろ部と、を備える身ごろ部と、
前記の身ごろ部に連結された左右一対の袖部と、
前記の身ごろ部に連結された襟部とを備え、
前身ごろ部の下半部には、上前身ごろの下半部及び下前身ごろの下半部を着用するための腰紐が設けられたことを特徴とする着物。
【請求項２】
請求項１に記載の発明において、
前記の左右一対の袖部は、着脱可能な交換袖部を備えたことを特徴とする着物。
【請求項３】
請求項２に記載の発明において、
前記の交換袖部は、振袖用交換袖部と、小袖用交換袖部とを交換可能にされたことを特徴とする着物。
【請求項４】
請求項２または３のいずれかに記載の発明において、
前記の交換袖部は、ファスナー、面ファスナー、スナップ、ボタン、ホックのいずれかの着脱部材を用いて着脱可能にされたことを特徴とする着物。
【請求項５】
請求項１〜４のいずれかにおいて、
前記の襟部は、ファスナー、面ファスナー、スナップ、ボタン、ホックのいずれかの着脱部材を用いて着脱可能にされたことを特徴とする着物。
【請求項６】
請求項１〜５のいずれかに記載の発明において、
前身ごろ部の下半部に設けられた腰紐貫通部に腰紐を通した状態で、下前身ごろに通された腰紐を上前身ごろの下半部に設けられた腰紐穴に通し、
次いで前記の腰紐穴を通し後ろ身ごろに廻して周回させた腰紐と、上前身ごろの腰紐貫通部に通された腰紐とを結ぶように構成されたことを特徴とする着物。
【請求項７】
請求項１〜６のいずれかに記載の発明において、
前記の前身ごろ部の襟部には、襟芯を挿入する襟芯収容部が備えられたことを特徴とする着物。
【発明の詳細な説明】
【０００１】
【発明の属する技術分野】
本発明は、上前身ごろ及び下前身ごろのそれぞれを上半部と下半部に分離した構成にするとともに、後ろ身ごろ部は分離しない構成として、腰紐により前身ごろの下半部を先に着用し、次いで上半部を着用することにより簡易な着付けを可能にした着物に関する。
【０００２】
【従来の技術】
従来より、日本における伝統的な服装である着物は、祝い事やフォーマルな場所で着用されている。しかし着付けが難しく、気軽には着用できないことなどもあって、なかなか着用しにくいのが現状である。
着付けに際しては、着用する人の身長や体型に合わせて着付け姿を演出する必要があり、襟回りや裾の位置を整え、おはしょりを施して帯を巻くなど、着付けのテクニックや熟練が必要である。また時間の経過により次第に着崩れしてしまうことも多い。
【０００３】
たとえば実用新案登録第３０７７９９３号「簡易式着物」においては、洋服感覚で着ることができ、装着後も自由な動きを確保することが可能で、その後の着崩れの問題もない簡易式着物が提案されている。おはしょり部を身ごろ部に脱着するための面ファスナーなどの手段を備えるものである。
登録実用新案登録第３０５００８０号「スーツ感覚で着れる着物」においては、着物の裏生地面に、面ファスナーを設けたことにより、スーツ感覚で自分自身で着ることが可能な着物が提案されている。
【０００４】
【発明が解決しようとする課題】
ところで、このような課題を解決するため、セパレーツ式の二部式着物が開発されている。
たとえば特開平１１−２４７００７「二部式着物」においては、和様の着物を、不慣れな人であっても人手を借りることがなく一人で着付けることができ、しかも着る人の背丈に関係なく簡単に調整して着ることができる着物が提案されている。
腰から下に着る下着部と、腰から上に着る上着部とからなり、上着部に着用する人の身丈に応じてその着丈を調節することができる調整部が備えられ、調整部は上着部の裏面に複数本の面ファスナーを間隔を置いて付着され構成されたものである。
このようなセパレーツ式の二部式着物は、多数の種類のものが開発されており、上下に分割された着物を、上下それぞれの位置や形を整えながら順次、洋服のように着用できるものであり、初心者にも簡単に着用することができる。
しかしながら、着物の着付け上がりは、特に衿元や腰回りでだぶついたり、皺になってしまうなど、和服特有の重ね着の難しさが残されており、また体裁を整える必要がある。上下それぞれの着物が完全に分離しているために、着付け時の調整が特に必要であるばかりでなく、着崩れにもいっそう気を使う必要があり、一部式着物に比べて本来の着物らしいデザインと異なった趣きが出てしまう。
【０００５】
同様に、特開２００２−２４２００６「重ね着型着物」においても、着用経験が無く、着物を正しく着付けることができない人であっても、短時間の中に整然と着用可能で、しかも活発な動きにも着崩れせず、変化に富んだ着物の着こなしを実現可能とする重ね着型着物が提案されている。帯の巻付け箇所となる辺りをファスナーまたは面ファスナーからなる着脱部として、それより上方となる前後身頃部分および衽の一部、それに衿、袖、袂を襦袢用の生地で形成してなる半襦袢部と、それよりも下方で裾までの前後身頃部分および衽を着物用の生地で形成してなる下半着物部とを、上下に連続、一体化できるようにして襦袢付き裾側着物体としたものである。
この発明においては、二部式着物の上下を着脱式とすることにより、上下を一体に構成できるものである。
しかしながら、この発明においては重ね着型の着物に特に特化した構成としたものであり、上下の着脱の手順が増えるばかりではなく、着付け後に着崩れを直す際などには上下一体とされているために却って手間がかかる。
【０００６】
そこで本発明においては、上記の様々な課題を解決し、一部式の着物において、セパレーツ式着物のように簡単な着付けを実現することにより、セパレーツ式よりも着物らしさを感じられるデザインとすることにより、着物を着ることが楽しめ、ワンピース感覚で着ることが可能な着物を提供することを目的とする。
上前身ごろ及び下前身ごろのそれぞれを上半部と下半部に分離した構成にするとともに、後ろ身ごろ部は分離しない構成として、腰紐により前身ごろの下半部を先に着用し、次いで上半部を着用することにより簡易な着付けを可能にした着物を提供する。
【０００７】
【課題を解決するための手段】
上記課題を解決するため、請求項１に記載の発明においては、
上前身ごろ及び下前身ごろのそれぞれが上半部と下半部に分離された前身ごろ部と、前身ごろ部が備える上下それぞれの丈を足した丈に対応する丈を有する後ろ身ごろ部と、を備える身ごろ部と、
前記の身ごろ部に連結された左右一対の袖部と、
前記の身ごろ部に連結された襟部とを備え、
前身ごろ部の下半部には、上前身ごろの下半部及び下前身ごろの下半部を着用するための腰紐が設けられた着物であることを特徴としている。
【０００８】
また、上記課題を解決するため、請求項２に記載の発明においては、
請求項１に記載の発明において、
前記の左右一対の袖部は、着脱可能な交換袖部を備えた着物であることを特徴としている。
【０００９】
また、上記課題を解決するため、請求項３に記載の発明においては、
請求項２に記載の発明において、
前記の交換袖部は、振袖用交換袖部と、小袖用交換袖部とを交換可能にされた着物であることを特徴としている。
【００１０】
また、上記課題を解決するため、請求項４に記載の発明においては、
請求項２または３のいずれかに記載の発明において、
前記の交換袖部は、ファスナー、面ファスナー、スナップ、ボタン、ホックのいずれかの着脱部材を用いて着脱可能にされた着物であることを特徴としている。
【００１１】
また、上記課題を解決するため、請求項５に記載の発明においては、
請求項１〜４のいずれかにおいて、
前記の襟部は、ファスナー、面ファスナー、スナップ、ボタン、ホックのいずれかの着脱部材を用いて着脱可能にされた着物であることを特徴としている。
【００１２】
また、上記課題を解決するため、請求項６に記載の発明においては、
請求項１〜５のいずれかに記載の発明において、
前身ごろ部の下半部に設けられた腰紐貫通部に腰紐を通した状態で、下前身ごろに通された腰紐を上前身ごろの下半部に設けられた腰紐穴に通し、
次いで前記の腰紐穴を通し後ろ身ごろに廻して周回させた腰紐と、上前身ごろの腰紐貫通部に通された腰紐とを結ぶように構成された着物であることを特徴としている。
【００１３】
また、上記課題を解決するため、請求項７に記載の発明においては、
請求項１〜６のいずれかに記載の発明において、
前記の前身ごろ部の襟部には、襟芯を挿入する襟芯収容部が備えられたことを特徴とする着物であることを特徴としている。
【００１４】
【発明の実施の形態】
以下、本発明の実施の形態について図面を参照して説明する。
図１から図４は、本発明の着物の基本的な構成の好ましい一例を示す図である。
各図において、符号１は前身ごろ部、１０は下前身ごろ部、１１は上前身ごろ部を示している。また特に、１０ａは下前身ごろ部の上半部、１０ｂは下前身ごろ部の下半部、１１ａは上前身ごろの上半部、１１ｂは上前身ごろの下半部を示す。
また符号２は後ろ身ごろ部、３は左右一対の袖部、３０は交換袖部、３１は振袖用交換袖部、３２は小袖用交換袖部を示している。また符号４は襟部、５は腰紐、５０は腰紐貫通部、５１は腰紐穴、６は襟芯、６０は襟芯収容部を示している。
【００１５】
図１は振袖用交換袖部を付けた着物の正面図、図２は振袖用交換袖部を付けた着物の背面図である。
図３は小袖用交換袖部を付けた着物の正面図、図４は小袖用交換袖部を付けた着物の背面図である。
図５は、上前身ごろ及び下前身ごろのそれぞれが上半部と下半部に分離され、上前身ごろ及び下前身ごろそれぞれの下半部を開いた状態を示しており、作図上、左右一対の袖部は省略している。
各図からも明らかなように、上前身ごろ及び下前身ごろのそれぞれは上半部と下半部に分離した構成にされており、一方、後ろ身ごろ部は分離しない構成とされているために、腰紐により前身ごろの下半部を先に着用し、次いで上半部を着用することにより、一部式着物であってもセパレーツ式着物のように簡単な着付けにより、セパレーツ式よりも着物らしさを感じられるデザインとすることができる。
【００１６】
以下、各図を参照して本発明の着物の構成について説明する。
本発明の着物は、上前身ごろ及び下前身ごろのそれぞれが上半部と下半部に分離された前身ごろ部１と、前身ごろ部１が備える上下それぞれの丈を足した丈に対応する丈を有する後ろ身ごろ部２と、を備える身ごろ部を備えている。
前身ごろ部１は、上半部と下半部に胸下位置近辺で分離されており、後ろ身ごろ部２は特に分離されていないため、着物を羽織った後に、上半部と下半部をそれぞれ別個にセットすることができ、簡易に着用することができる。
【００１７】
次に本発明の着物は、身ごろ部に連結された左右一対の袖部３を備えている。
袖部３の好ましい形態は、振袖用の袖と小袖用の袖とに交換可能にされており、簡単な着付けによりいずれの着用もでき、様々な楽しみ方ができるものである。
交換可能な袖部３を構成する場合には、左右一対の袖部３は、着脱可能な交換袖部３０を備えている。
交換袖部３０は、振袖用交換袖部３１と、小袖用交換袖部３２とを交換可能にされている。
交換袖部３０の着脱は、ファスナー、面ファスナー、スナップ、ボタン、ホックのいずれかの着脱部材を用いて着脱可能にされ、図１および図３ではファスナーによる着脱が可能な形態の一例を示している。
交換袖部３０において着脱部材により着脱をすることにより、振袖、小袖、左右の長さを変えたモダンなレイヤードスタイルの３種類の使い分けができる。さらに下襲用振袖、下襲用小袖をスナップ等の着脱部材により取り外しができるようにすれば、装着した際には長襦袢を着用したような感じを呈する。
【００１８】
次に本発明の着物は、身ごろ部に連結された襟部４を備えている。
襟部４は、ファスナー、面ファスナー、スナップ、ボタン、ホックのいずれかの着脱部材を用いて、伊達襟が着脱可能にされている。
図６は、着脱可能にされた伊達襟と、下襲用振袖、下襲用小袖とのそれぞれの部材を示し、身ごろ部には着脱部材により装着できるようにされている。
図７は、着脱可能にされた袖部３と襟部４との、着用前の装着の態様の一例を示す図である。
【００１９】
次に本発明の着物には、前身ごろ部の下半部には、上前身ごろの下半部及び下前身ごろの下半部を着用するための腰紐５が設けられている。
好ましくは、図５に一例を示すように、前身ごろ部の下半部には、腰紐５を通す腰紐貫通部５０が設けられ、さらに下前身ごろに通された腰紐５を上前身ごろの下半部に通す腰紐穴５１が設けられている。
前身ごろ部の下半部に設けられた腰紐貫通部５０に腰紐５を通した状態で、下前身ごろに通された腰紐５を上前身ごろの下半部に設けられた腰紐穴５１に通し、次いで前記の腰紐穴５１を通し後ろ身ごろ２に廻して周回させた腰紐５と、上前身ごろの腰紐貫通部５０に通された腰紐５とを結ぶように構成されている。
なお、腰紐５の前身ごろ部の下半部への取り付け形態は、図５に示すような形態以外にも様々な方法を採用することができる。
【００２０】
また、前身ごろ部の襟部６には、襟芯を挿入する襟芯収容部６０（たとえば襟芯を挿入するスリット上の穴やポケット等）が備えられている。
図７において着る前の準備作業の手順を示す。
襟芯６を襟芯収容部６０に入れて装着すれば、びしっとした襟しまつにすることができる。
また、着る前の準備作業において、振袖はフォーマルに、小袖は普段使いにと、用途に合わせて使い分け、ファスナー等の着脱部材によりあらかじめ装着を行う。
下襲用の袖や、伊達襟もスナップ等の着脱部材により装着することができる。
【００２１】
次に図８から図１２は本発明の着物の着用手順の好ましい例を示す図である。
まず、図８を参照すると、袖部３に腕を通して着物をはおり、下半部の下前身ごろ１１ｂを脇に持っていき、付属の腰紐５を、腰紐穴５１に通す。
次に図９に示すように、上前身ごろを前に重ねて両サイドから腰紐５を背中側に周回させて、前で結ぶ。下半部の着用はこれで完了する。
【００２２】
次に図１０に示すように、上半部は、背の中心が合うように襟部３の共襟の位置を決め、左前に重ねる。
次に図１１に示すように、おはしょりを整え、後ろのおはしょりを下に引いて衣紋をよく抜いたら着用が完了する。
図１２に示すように好きな帯を締めてコーディネートすることができる。
【００２３】
【発明の効果】
以上詳細に説明したように、本発明によれば、一部式の着物において、セパレーツ式着物のように簡単な着付けを実現することにより、セパレーツ式よりも着物らしさを感じられるデザインとすることにより、着物を着ることが楽しめ、ワンピース感覚で着ることが可能な着物を提供することを目的とする。
上前身ごろ及び下前身ごろのそれぞれを上半部と下半部に分離した構成にするとともに、後ろ身ごろ部は分離しない構成として、腰紐により前身ごろの下半部を先に着用し、次いで上半部を着用することにより簡易な着付けを可能にした着物を提供する。
さらに本発明によれば、袖部、襟部などを着脱可能とすることにより、用途や好みなどに応じて、着物の外観上あるいは機能上のバリエーションを気軽に楽しみ、使い分けることが可能になる。
【図面の簡単な説明】
【図１】振袖用交換袖部を付けた着物の正面図である。
【図２】振袖用交換袖部を付けた着物の背面図である。
【図３】小袖用交換袖部を付けた着物の正面図である。
【図４】小袖用交換袖部を付けた着物の背面図である。
【図５】上前身ごろ及び下前身ごろのそれぞれが上半部と下半部に分離され、上前身ごろ及び下前身ごろそれぞれの下半部を開いた上体を示しており、作図上、左右一対の袖部は省略している。
【図６】着脱可能にされた伊達襟と、下襲用振袖、下襲用小袖とのそれぞれの部材を示す図である。
【図７】着脱可能にされた袖部３と襟部４との、着用前の装着の態様の一例を示す図である。
【図８】本発明の着物の着用手順の好ましい例を示す図である。
【図９】本発明の着物の着用手順の好ましい例を示す図である。
【図１０】本発明の着物の着用手順の好ましい例を示す図である。
【図１１】本発明の着物の着用手順の好ましい例を示す図である。
【図１２】本発明の着物の着用手順の好ましい例を示す図である。
【図１】
2005023488.tif 000003
【図２】
2005023488.tif 000004
【図３】
2005023488.tif 000005
【図４】
2005023488.tif 000006
【図５】
2005023488.tif 000007
【図６】
2005023488.tif 000008
【図７】
2005023488.tif 000009
【図８】
2005023488.tif 000010
【図９】
2005023488.tif 000011
【図１０】
2005023488.tif 000012
【図１１】
2005023488.tif 000013
【図１２】
2005023488.tif 000014